(57)【要約】【課題】本発明は、薄型化および小型化が可能であると共に、１個の駆動源で絞り動作とＮＤフィルタの駆動とを行うことができる絞り兼用シャッタ駆動装置を提供すること。【解決手段】本発明の絞り兼用シャッタ駆動装置は、所定厚さのベース部材２と、このベース部材２に貫通形成された所定の口径の開口部２ａと、駆動源１の駆動により開口部２ａの閉鎖あるいは開口量の調整（絞り）を行う複数の光調整部材９とを備え、ベース部材２には、開口部２ａを通過する光の強度を調整可能なＮＤフィルタ１０が支持され、このＮＤフィルタｑ０は、光調整部材９が開口部２ａを開放している時において、開口部２ａを遮蔽しない非遮蔽状態で動きがロックされ、この非遮蔽状態において、光調整部材９が開口部２ａを閉鎖する動作に同期してロックが解除されて開口部２ａを遮蔽する遮蔽状態となるようにした。【選択図】        図１
2004348051.tif 000002
【特許請求の範囲】
【請求項１】
所定厚さのベース部材と、このベース部材に貫通形成された所定の口径の開口部と、駆動源の駆動により前記開口部の閉鎖あるいは開口量の調整（絞り）を行う光調整部材とを備え、前記ベース部材には、前記開口部を通過する光の強度（光量）を調整可能なＮＤフィルタが支持され、このＮＤフィルタは、前記光調整部材が前記開口部を開放している時において、前記開口部を遮蔽しない非遮蔽状態で動きがロックされ、前記非遮蔽状態において、前記光調整部材が前記開口部を閉鎖する動作に同期して前記ロックが解除されて前記開口部を遮蔽して遮蔽状態となるようにしたことを特徴とする絞り兼用シャッタ駆動装置。
【請求項２】
前記ロックが解除された前記ＮＤフィルタは、前記開口量の調整を行う前記光調整部材の動きに同期して前記開口部の遮蔽量が変化するようにしたことを特徴とする請求項１記載の絞り兼用シャッタ駆動装置。
【請求項３】
前記ベース部材上には、前記光調整部材の一部を移動自在に支持した環状の駆動リングが載置され、前記駆動リングの回転駆動に伴って、複数の前記光調整部材が、前記開口部を開放する開放位置、および前記開口部を閉鎖する閉鎖位置に移動するようにしたことを特徴とする請求項１または２記載の絞り兼用シャッタ駆動装置。
【請求項４】
前記ＮＤフィルタは、前記駆動リングの外周側の前記ベース部材の一部に一端部側が支持された支持部材に支持されて回動自在となっており、前記支持部材の前記一端部側が位置する部分の前記ベース部材には、前記ＮＤフィルタが前記非遮蔽状態で前記支持部材の動きをロック可能なロック部材が配設されていることを特徴とする請求項１乃至３のいずれかに記載の絞り兼用シャッタ駆動装置。
【請求項５】
前記支持部材は、前記ＮＤフィルタが前記遮蔽状態になる方向に第１弾性部材に弾性付勢され、前記非遮蔽状態にある前記ＮＤフィルタは、第２弾性部材で弾性付勢された前記ロック部材が前記支持部材の一端部に弾接して前記ロックされるようにしたことを特徴とする請求項４記載の絞り兼用シャッタ駆動装置。
【請求項６】
前記第２弾性部材の付勢力は、前記第１弾性部材の付勢力よりも大きいことを特徴とする請求項５記載の絞り兼用シャッタ駆動装置。
【請求項７】
前記ロック部材による前記支持部材の前記ロックが解除されると、前記第１弾性部材の付勢力で、前記ＮＤフィルタが前記非遮蔽状態から前記遮蔽状態に移動するようにしたことを特徴とする請求項４乃至６のいずれかに記載の絞り兼用シャッタ駆動装置。
【請求項８】
前記光調整部材を前記閉鎖位置に回動させる方向に前記駆動リングを回転させることにより、ロック状態にある前記支持部材を押圧して前記ロックを解除可能なロック解除部が前記駆動リングに形成されていることを特徴とする請求項４乃至７のいずれかに記載の絞り兼用シャッタ駆動装置。
【請求項９】
前記光調整部材が前記開放位置方向に回動する前記駆動リングの回転に同期して前記支持部材が回動することにより、前記ＮＤフィルタが前記遮蔽状態から前記非遮蔽状態に移動するようにしたことを特徴とする請求項４乃至８記載の絞り兼用シャッタ駆動装置。
【請求項１０】
前記駆動リングには、前記遮蔽状態にある前記ＮＤフィルタを前記第１弾性部材の付勢力に抗して前記非遮蔽状態の方向に移動操作可能な操作ピンが形成されていることを特徴とする請求項３乃至９のいずれかに記載の絞り兼用シャッタ駆動装置。
【請求項１１】
前記駆動源は、電磁式アークチュエータからなり、前記駆動リングは、前記駆動源に直結された駆動レバーの一方向および他方向への往復移動に連動して、所定の回転角度回転するようにしたことを特徴とする請求項３乃至１０のいずれかに記載の絞り兼用シャッタ駆動装置。
【請求項１２】
前記駆動リングには、前記駆動レバーが係合可能な係合溝が形成され、前記複数の光調整部材には、前記駆動リングに形成した突起が係合可能な長溝が形成され、前記駆動リングの前記係合溝に係合する前記駆動レバーを、いずれか１つの前記光調整部材の前記長孔に係合させ、残りの前記光調整部材の前記長孔に前記駆動リングに形成した突起を係合させるようにしたことを特徴とする請求項１１記載の絞り兼用シャッタ駆動装置。
【発明の詳細な説明】
【０００１】
【発明の属する技術分野】
本発明は、デジタルムービーカメラあるいはデジタルスチルカメラ等における絞りを兼用すると共に、光の強度（光量）を調整可能な絞り兼用シャッタ駆動装置に関する。
【０００２】
【従来の技術】
従来のデジタルムービーカメラあるいはデジタルスチルカメラ等に適用される絞りを兼用すると共にＮＤフィルタを備えた絞り兼用シャッタ駆動装置を、例えば図９〜図１４に基づいて説明する。
従来の絞り兼用シャッタ駆動装置は、図９に示すように、円形の開口部５１ａが形成されたシャッタ地板５１の下部には、円形の開口部５２ａを有するフィルタ地板５２が積層配置され、このフィルタ地板５２とシャッタ地板５１との間に第１羽根体５３および第２羽根体５４が配設されている。
【０００３】
前記第１羽根体５３には、開口部５１ａ、５２ａの絞り機能をなす３角形状の絞り縁部５３ａが形成され、第２羽根体５４には、第１羽根体５３の絞り縁部５３ａと逆向きに形成された３角状の絞り縁部５４ａが形成されている。
また、シャッタ地板５１の一方の面側には、それぞれの絞り縁部５３ａ、５４ａが交叉する図示上下方向に第１、第２羽根体５３、５４を駆動する電磁アクチュエータからなる第１駆動源５５、および第１駆動源５５のロータ５５ａには第１揺動レバー５６が揺動可能に連結されている。
【０００４】
また、図９の下面図である図１０に示すように、フィルタ地板５２の下面側に配設された矩形状の開口部５７ａが形成されたフィルタ押え板５７との間には、保持プレート５８が配設されている。
前記保持プレート５８には、略Ｕ字状の切り欠き部５８ａの下方側には、光の強度（光量）を減少させるＮＤフィルタ５９が貼付されている。また、シャッタ地板５１の他方の面側には、保持プレート５８を図示上下方向に駆動する電磁アクチュエータからなる第２駆動源６０、および第２駆動源６０のロータ６０ａには、第２揺動レバー６１が揺動可能に連結されている。
【０００５】
このような構成のカメラ用シャッタ装置が、デジタルムービーカメラに搭載された場合の動作について図９〜図１４に基づいて説明する。
まず、第１駆動源５５を駆動させてロータ５５ａが時計回り方向に回転することにより、図９に示すように、開口部５１ａ、５２ａが閉鎖した位置にある第１、第２羽根体５３、５４が、図１１に示すように、開口部５１ａ、５２ａを全開した開放位置に移動する。
【０００６】
この時のＮＤフィルタ５９は、図１２に示すような、開口部５１ａ、５２ａを開放した位置の待機状態にある。
続いて、光検出センサ（図示せず）により光の強度（光量）が検出されて、光の強度が強すぎる（明るすぎる）場合は、第１、第２羽根体５３、５４の絞り縁部５３ａ、５４ａを互いに接近ずる方向に移動して、例えば図１３に示すような、最適な絞り口径となって停止する。
この最適な絞り口径となった時点で、撮像素子（ＣＣＤ）により動画が撮影される。
【０００７】
また、開口部５１ａ、５２ａが最適な絞り口径となった時のＮＤフィルタ５９は、図１２に示すような、待機状態となっている。
また、上記のような絞り動作が行われても、最適な光の強度（光量）に調整できない場合は、第１、第２羽根体５３、５４を、予め所定の作動位置（所定の絞り口径）に保持した状態で、第２駆動源６０を駆動して、図１２に示すロータ６０ａを時計回り方向に回転させる。
すると、ＮＤフィルタ５９が図示上方に移動し、図１４に示すように、それぞれの絞り縁部５３ａ、５４ａにより画定された開口部が覆われて、絞り量が最適となるように制御される。
【０００８】
続いて、動画像を撮影した図１３、または図１４に示す状態から、静止画像を撮影する場合は、既に最適な絞り口径に調整されているため、撮影者がレリーズ動作を行うと、ＣＣＤに蓄積されていた電荷を一旦放出してリセット（記録された画像を消去）し、露出を開始する。
そして、適正な露出時間が経過すると、第１駆動源５５のロータ５５ａを反時計回り方向に駆動させて、開口部５１ａ、５２ａを閉鎖する。これにより、露出動作が終了し、静止画像が撮影される。
【０００９】
【特許文献１】
特開２００１−２８１７２５号公報
特開２０００−３１０８０３号公報
【００１０】
【発明が解決しようとする課題】
しかし、前述したような従来の絞り兼用シャッタ駆動装置は、    第１と第２の２個の駆動源５５、６０が必要となので、消費電力が大きくなって電池寿命が短くなるおそれがあった。また、シャッタ地板５１の上下に第１、第２駆動源５５、６０を配置していたので、従来のカメラ用シャッタ装置が大型になり、絞り兼用シャッタ駆動装置を搭載した携帯型のデジタルムービーカメラあるいはデジタルスチルカメラ等の小型化が難しくなる問題があった。
また、第１、第２の２つの動源５５、６０があるために、部品点数が多くなって組立が複雑となりコストアップになる問題があった。
本発明は、前述したような課題に鑑みてなされたものであり、薄型化および小型化が可能であると共に、１個の駆動源で絞り動作とＮＤフィルタの駆動とを行うことができる絞り兼用シャッタ駆動装置を提供することを目的とする。
【００１１】
【課題を解決するための手段】
前記課題を解決するための第１の解決手段として本発明の絞り兼用シャッタ駆動装置は、所定厚さのベース部材と、このベース部材に貫通形成された所定の口径の開口部と、駆動源の駆動により前記開口部の閉鎖あるいは開口量の調整（絞り）を行う光調整部材とを備え、前記ベース部材には、前記開口部を通過する光の強度（光量）を調整可能なＮＤフィルタが支持され、このＮＤフィルタは、前記光調整部材が前記開口部を開放している時において、前記開口部を遮蔽しない非遮蔽状態で動きがロックされ、前記非遮蔽状態において、前記光調整部材が前記開口部を閉鎖する動作に同期して前記ロックが解除されて前記開口部を遮蔽して遮蔽状態となるようにしたことを特徴とする。
【００１２】
また、前記課題を解決するための第２の解決手段として、前記ロックが解除された前記ＮＤフィルタは、前記開口量の調整を行う前記光調整部材の動きに同期して前記開口部の遮蔽量が変化するようにしたことを特徴とする。
【００１３】
また、前記課題を解決するための第３の解決手段として、前記ベース部材上には、前記光調整部材の一部を移動自在に支持した環状の駆動リングが載置され、前記駆動リングの回転駆動に伴って、前記複数の光調整部材が、前記開口部を開放する開放位置、および前記開口部を閉鎖する閉鎖位置に移動するようにしたことを特徴とする。
【００１４】
また、前記課題を解決するための第４の解決手段として、前記ＮＤフィルタは、前記駆動リングの外周側の前記ベース部材の一部に一端部側が支持された支持部材に支持されて回動自在となっており、前記支持部材の前記一端部側が位置する部分の前記ベース部材には、前記ＮＤフィルタが前記非遮蔽状態で前記支持部材の動きをロック可能なロック部材が配設されていることを特徴とする。
【００１５】
また、前記課題を解決するための第５の解決手段として、前記支持部材は、前記ＮＤフィルタが前記遮蔽状態になる方向に第１弾性部材に弾性付勢され、前記非遮蔽状態にある前記ＮＤフィルタは、第２弾性部材で弾性付勢された前記ロック部材が前記支持部材の一端部に弾接して前記ロックされるようにしたことを特徴とする。
【００１６】
また、前記課題を解決するための第６の解決手段として、前記第２弾性部材の付勢力は、前記第１弾性部材の付勢力よりも大きいことを特徴とする。
【００１７】
また、前記課題を解決するための第７の解決手段として、前記ロック部材による前記支持部材の前記ロックが解除されると、前記第１弾性部材の付勢力で、前記ＮＤフィルタが前記非遮蔽状態から前記遮蔽状態に移動するようにしたことを特徴とする。
【００１８】
また、前記課題を解決するための第８の解決手段として、前記光調整部材を前記閉鎖位置に回動させる方向に前記駆動リングを回転させることにより、ロック状態にある前記支持部材を押圧して前記ロックを解除可能なロック解除部が前記駆動リングに形成されていることを特徴とする。
【００１９】
また、前記課題を解決するための第９の解決手段として、前記光調整部材が前記開放位置方向に回動する前記駆動リングの回転に同期して前記支持部材が回動することにより、前記ＮＤフィルタが前記遮蔽状態から前記非遮蔽状態に移動するようにしたことを特徴とする。
【００２０】
また、前記課題を解決するための第１０の解決手段として、前記駆動リングには、前記遮蔽状態にある前記ＮＤフィルタを前記第１弾性部材の付勢力に抗して前記非遮蔽状態の方向に移動操作可能な操作ピンが形成されていることを特徴とする。
【００２１】
また、前記課題を解決するための第１１の解決手段として、前記駆動源は、電磁式アークチュエータからなり、前記駆動リングは、前記駆動源に直結された駆動レバーの一方向および他方向への往復移動に連動して、所定の回転角度回転するようにしたことを特徴とする。
【００２２】
また、前記課題を解決するための第１２の解決手段として、前記駆動リングには、前記駆動レバーが係合可能な係合溝が形成され、前記複数の光調整部材には、前記駆動リングに形成した突起が係合可能な長溝が形成され、前記駆動リングの前記係合溝に係合する前記駆動レバーを、いずれか１つの前記光調整部材の前記長孔に係合させ、残りの前記光調整部材の前記長孔に前記駆動リングに形成した突起を係合させるようにしたことを特徴とする。
【００２３】
【発明の実施の形態】
以下、本発明に関する絞り兼用シャッタ駆動装置の実施の形態を図１〜図８に基づいて説明する。図１は本発明に関する絞り兼用シャッタ駆動装置の分解斜視図であり、図２は本発明に係わるベース部材の平面図であり、図３〜図８は本発明に関する絞り兼用シャッタ駆動装置の動作を説明する要部拡大図ある。
まず、本発明の実施の形態の絞り兼用シャッタ駆動装置電気は、図１に示すように、最下部に後述する駆動リング８を所定角度往復回転駆動するための駆動源１が配設されている。
【００２４】
この駆動源１は、ケース１ａ内に図示を省略するが、永久磁石、コイルおよび駆動棒等が配設された電磁式アークチュエータからなり、前記永久磁石およびコイルには、中心部に貫通孔が形成され、この貫通孔に駆動棒が配設されている。
そして、コイルに所定の電流を通電することにより発生する磁界で、前記駆動棒が一方向と他方向とに往復移動可能になっている。
また、駆動棒には、駆動レバー１ｂが固着されており、ケース１ａから外部に延出して駆動レバー１ｂが配設され、駆動棒が往復移動に伴って駆動レバー１ｂも往復移動するようになっている。
【００２５】
前記駆動源１は、外形が略円形状の樹脂材料からなるベース部材２の裏面側に小ネジ（図示せず）等で固着されている。
また、ベース部材２は、樹脂材料等からなり、図２に示すように、外形が略円形状に形成され、中心部には、所定の大きさの円形状の開口部２ａが貫通形成され、この開口部２ａの周囲には、表面が平坦状でリング状に突出形成された羽根摺動面２ｂが形成されている。また、ベース部材２の外周部には、周壁２ｃが所定の幅寸法と高さ寸法で形成されている。
また、羽根摺動面２ｂの外側には、所定深さでリング状に彫り込みされた凹部３が形成され、この凹部３に後述する駆動リング８が回転自在に位置するようになっている。
【００２６】
また、図２に示す凹部３の底面には、図示斜め右上方にリング状の凹部３に倣って扇状のセンサ孔３ａと、図示手前側に所定の幅寸法と長さ寸法のスリット状の駆動孔３ｂとが貫通形成されている。
前記駆動孔３ｂには、駆動源１の駆動レバー１ｂがベース部材２の裏面側から挿通されて、駆動孔３ｂ内を一方側から他方側に往復移動可能になっている。
また、凹部３の外側には、羽根摺動面２ｂより高さが若干低く凹部３の底面より高さが高いリング状の第１支持面４が形成されている。この第１支持面４には、１２０°の等間隔の位置に、３本の第１支持突起４ａ、４ｂ、４ｃが所定高さで突出形成されている。
【００２７】
また、それぞれの第１支持突起４ａ、４ｂ、４ｃの周囲には、小さなリング状で羽根摺動面２ｂと同じ高さに突出形成された羽根受け部４ｄが、第１支持突起４ａ、４ｂ、４ｃを囲むように形成されている。
また、後述する第３支持突起６ａの時計回り方向の近傍の第１支持面４上には、２段形状のバネ支持突起４ｅが突出形成されている。
【００２８】
また、図２に示す手前側の第１支持突起４ａの反時計回り方向近傍には、第１支持面４より若干高く形成された第２支持面５が形成され、この第２支持面５には、第１支持突起４ａ、４ｂ、４ｃと略同じ径の第２支持突起５ａが所定高さで突出形成されている。
また、図２に示す第１支持突起４ａの図示時計回り方向近傍には、第２支持面５と略同じ高さに形成された第３支持面６が形成され、この第３支持面６には、第１支持突起４ａ、４ｂ、４ｃと略同じ径寸法のの第３支持突起６ａが所定高さで突出形成されている。
【００２９】
また、凹部３に形成したセンサ孔３ａ部分のベース部材２の裏面には、図１に示すように、ホール素子からなる磁気センサ７を取り付けたセンサ基板７ａが小ネジ７ｂ等で取り付けられている。またセンサ基板７ａにはＦＰＣ（フレキシブルプリント基板）７ｃが接続されている。前記ＦＰＣ７ｃは、センサ基板７ａを兼ねたものでも良い。
また、リング状の凹部３には、外形がリング状に形成された駆動リング８が配設されて回転自在になっている。この駆動リング８の図示斜め左下方の外周部には、中心部方向に所定の幅寸法のＵ字状の係合溝８ａが形成されている。前記係合溝８ａに駆動源１の駆動レバー１ｂが係合し、この駆動レバー１ｂを介して駆動源１の駆動力が伝達されて駆動リング８が所定角度回転可能になっている。
【００３０】
また、駆動リング８には、２本の第４支持突起８ｂ、８ｃが所定高さで突出形成され、この２本の第４支持突起８ｂ、８ｃと係合溝８ａとが１２０°間隔で等間隔の位置に形成されている。
また、駆動リング８には、係合溝８ａ近傍で図示手前側に、所定の間隔を有して、操作ピン８ｄとロック解除部であるロック解除ピン８ｅとが所定高さで突出形成されている。
【００３１】
また、駆動リング８の裏面で凹部３のセンサ孔３ａ上に位置する部分に、センサマグネット８ｇが接着剤等で固着されている。
このような駆動リング８は、係合溝８ａをベース部材２の駆動孔３ｂ上に、およびセンサマグネット８ｇをセンサ孔３ａ上に位置合わせした状態で凹部３に組み込むと、係合溝８ａに駆動孔３ｂから上方に突出する駆動源１の駆動レバー１ｂが挿通されると共に、センサマグネット８ｇが磁気センサ７と対向するようになっている。
そのために、駆動源１を駆動させて、駆動レバー１ｂが駆動孔３ｂに沿って一方向と他方向とに往復移動すると、駆動リング８が所定の角度、時計回り方向および反時計回り方向に回転する。
また、駆動リング８の回転角度は、センサマグネット８ｇの磁界の強弱の変化を磁気センサ７が検出することにより駆動源１の駆動棒の移動量が制御されて、制御可能になっている。
【００３２】
また、第１支持面４の３本の第１支持突起４ａ、４ｂ、４ｃには、薄板状の絞り羽根からなる３枚の光調整部材９の一端部側が回動自在に支持されている。
前記光調整部材９は、第１支持突起４ａ、４ｂ、４ｃに支持された位置から所定寸法内側の位置に、小判状の長孔９ａが形成されている。
また、光調整部材９の他端部側には、開口部２ａを閉鎖可能な所定の大きさの羽根部９ｂが形成されている。
【００３３】
そして、３枚の光調整部材９は、それぞれの一端部側が第１支持部４ａ、４ｂ、４ｃに支持され、２枚の光調整部材９の長孔９ａは、駆動リング８の第４支持突起８ｂ、８ｃに嵌合し、１枚の光調整部材９の長孔９ａは、駆動リング８の係合孔８ａから上方に挿通する駆動源１の駆動レバー１ｂが係合するようになっている。
そのために、駆動源１の駆動力が、駆動レバー１ｂを介して駆動リング８に伝達されて駆動リング８が回転すると共に、駆動レバー１ｂが係合する１枚の光調整部材９に、直接駆動レバー１ｂの移動が伝達されるようになっている。
また、他の２枚の光調整部材９は、回転する駆動リング８を介して羽根部９ｂが開口部２ａを閉じる方向、あるいは開く方向に回動するようになっている。
【００３４】
そして、羽根部９ｂが開口部２ａを閉鎖する方向に回動すると、図５に示すように、それぞれの羽根部９ｂが重なり合って、光調整部材９が開口部２ａを閉鎖した閉鎖位置になる。
また、光調整部材９が閉鎖位置のある時に、駆動リング８を反時計回り方向に回転駆動すると、それぞれの光調整部材９の羽根部９ｂが、互いに同期して開口部２ａを開放する方向に回動して、図３に示すように、光調整部材９が開放位置になるようになっている。
【００３５】
また、開口部２ａを遮蔽することにより、開口部２ａを通過する光の強度（光量）を、減少する側に調整可能なＮＤ（ｎｅｕｔｒａｌ  ｄｅｎｓｉｔｙ）フィルタ１０が配設され、このＮＤフィルタ１０は、支持部材１１の他端部１１ａ側に支持されている。
前記支持部材１１は、図示左側の一端部１１ｂ側がベース部材２の一部である第２支持突起５ａに支持されて回動自在になっている。
【００３６】
また、支持部材１１には、バネ係止部１１ｃが外向きに突出形成され、このバネ係止部１１ｃに捻りコイルバネからなる第１弾性部材１２の一端部が係止され、第１弾性部材１２の他端部がベース部材２側に係止されている。
そして、支持部材１１は、ＮＤフィルタ１０が開口部２ａを遮蔽する方向に常時弾性付勢されている。
【００３７】
また、ベース部材２の第３支持突起６ａには、ＮＤフィルタ１０を支持した支持部材１１の動きを規制してロック可能なロック部材１３が支持されている。
前記ロック部材１３は、図示左側の一端部１３ａ側が第３支持突起６ａに支持されると共に、図示右側の他端部１３ｂ側が支持部材１１の一端部１１ｂに弾接可能になっている。
また、ベース部材２のバネ支持突起４ｅには、捻りコイルバネからなり、第１弾性部材１２より付勢力の大きな第２弾性部材１４が支持されている。
前記第２弾性部材１４は、図３に示す左側端部がベース部材２に支持され、図示右側端部がロック部材１３の背に弾性付勢している。
そのために、ロック部材１３は、第３支持突起６ａを支点として、図示反時計回り方向に弾性付勢され、他端部１３ｂが支持部材１１の一端部１１ｂに弾接することにより、第１弾性部材１２の付勢力に抗して支持部材１１の動きがロックされるようになっている。
【００３８】
また、ベース部材２の周壁２ｃ上には、金属板からなるカバー部材１５が配設されている。前記カバー部材１５には、ベース部材２の開口部２ａと対向する中央部に開口部２ａと略同じ大きさの開口部１５ａが貫通形成され、ベース部材２の第１、第２第３支持突起４ａ、４ｂ、４ｃ、５ａ、６ａ等が嵌合可能な複数の支持孔１５ｂが貫通形成されている。
そして、駆動リング８、光調整部材９、支持部材１１に支持した状態のＮＤフィルタ１０、ロック部材１３等を載置したベース部材２の上方からカバー部材１５をかぶせて、それぞれの支持孔１５ｂから第１、第２第３支持突起４ａ、４ｂ、４ｃ、５ａ、６ａした状態で、カバー部材１５がベース部材２にスナップ止めされて、本発明の絞り兼用シャッタ駆動装置が組み立てられている。
【００３９】
このような本発明の絞り兼用シャッタ駆動装置を、例えばデジタルムービーカメラまたはデジタルスチルカメラ等に搭載したもので動作を説明すると、カメラ側には、開口部２ａを通過する光の強度（光量）を検出可能な光検出センサが配設されている。
また、磁気センサ７から出力される出力電圧値と駆動リング８の回転角度との関係、即ち、磁気センサ７の出力電圧値と３枚の光調整部材９による開口部２ａの絞り口径との関係が、制御部（図示せず）に予め制御マップとして入力されている。
【００４０】
まず、デジタルムービーカメラで動画を撮影する場合は、撮影者が電源ボタンを操作すると、図１に示す駆動源１が起動し、駆動棒（図示せず）が図示手前側に移動して、駆動棒に直結された駆動レバー１ｂも手前側に移動する。
この駆動レバー１ｂの移動に同期して、駆動リング８が反時計回り方向に所定角度回転することにより、３枚の光調整部材９の羽根部９ｂが外側に回動して、図３に示すように、開口部２ａが開放された開放位置に移動する。
【００４１】
また、駆動リング８の反時計回り方向への回転で、ＮＤフィルタ１０を支持した支持部材１１は、駆動リング８の操作ピン８ｄで、第１弾性部材１２の付勢力に抗して外側に押圧され、第２支持突起５ａを支点として時計回り方向に回動する。
この支持部材１１の時計回り方向への回動に伴って一端部１１ｂが、ロック部材１３の他端部１３ｂに弾接されて、支持部材１１の動きがロックされる。即ちＮＤフィルタ１０は、開口部２ａを遮蔽しない非遮蔽状態で動きがロックされている。
【００４２】
前記ＮＤフィルタ１０が非遮蔽状態で、光調整部材９が開放位置にあるときに、例えば撮影者が動画撮影用のボタンを操作すると、駆動源１の駆動棒に直結した駆動レバー１ｂが、図１に示す奥側に移動して、駆動リング８が時計回り方向に回転する。
そして、３枚の光調整部材９の羽根部９ｂによって開口部２ａが、図４に示すように、所定量絞り込まれて、光検出センサが検出する開口部２ａを通過する光の強度（光量）が撮影に最適となった時点で、撮像素子（ＣＣＤ）によって動画が撮影される。
この動画の撮影は、撮像素子に蓄積された電荷を放出する動作を繰り返すことにより、連続したコマ撮り撮影が行われるものである。
そして、撮影する被写体が暗い場合には、図８に示すように、光調整部材９を外側に回動させて開口部を開放する開放位置にすることにより、所望の画像を撮影することができる。
【００４３】
所が、被写体が明るい場合に、光調整部材９を閉鎖位置方向に回動させる絞り込み動作を行っても、開口部２ａを通過する光の強度を強すぎて最適な露出調整ができない場合は、所定量光調整部材９で絞り込まれた開口部２ａを、ＮＤフィルタ１０で遮蔽して露出調整を行うようになっている。
前記ＮＤフィルタ１０を用いた露出調整は、まず、図４に示す絞り状態から、駆動リング８を更に時計回り方向に回転させると、図５に示すように、光調整部材９のそれぞれの羽根部９ｂが内側に回動して、光調整部材９が開口部２ａを完全に閉鎖した閉鎖位置に移動する。
【００４４】
また、駆動リング８を時計方向に回転させることにより、図５に示す駆動リング８のロック解除ピン８ｅが、支持部材１１を図示左方向に押圧することにより、ロック部材１３による支持部材１１のロックが解除される。
このことにより、支持部材１１は第１弾性部材１２の付勢力で第２支持突起５ａを支点として反時計回り方向に回動して、ＮＤフィルタ１０が、図６に示すように、開口部２ａを閉鎖した状態のそれぞれの羽根部９ｂ上に位置する。
この時、ＮＤフィルタ１０を支持する支持部材１１は、操作ピン８ｄに当接して、それ以上反時計回り方向に回動しないようになっている。
【００４５】
その後、駆動リング８を逆転させて、反時計回り方向に回動することにより、開口部２ａを閉鎖していた光調整部材９が外側に移動して、開口部２ａが開かれる。また、駆動リング８が反時計回り方向に回動することにより、支持部材１１が操作ピン８ｄで押されて時計回り方向に回動して、所定量開かれた開口部２ａが、ＮＤフィルタ１０で遮蔽されるようになっている。
尚、図７におけるＮＤフィルタ１０は、所定量開かれた開口部２ａの略半分程度を遮蔽した状態になっているが、この遮蔽量は、支持部材１１を時計回り方向に押圧する操作ピン８ｄの位置を変えることにより、所定量開かれた開口部２ａ全体を遮蔽することも可能である。
【００４６】
そして、ＮＤフィルタ１０で遮蔽された開口部２ａを通過する光の強度（光量）を光検出センサでモニターしながら、駆動源１の駆動を制御マップ等に基づいて制御することにより、開口部２ａの絞り量が最適となった位置で、駆動リング８の回転が自動的に停止する。そして、撮像素子により連続したコマ撮り撮影が行われて動画が撮影される。
前記動画撮影モードにおける光調整部材９は、図６に示す閉鎖位置から図８に示す開放位置まで回動可能になっていると共に、ロック部材１３によるＮＤフィルタ１０のロックが解除された状態になっている。そのために、ＮＤフィルタ１０は、光調整部材９の移動に同期して、開口部２ａを遮蔽する遮蔽状態および開口部２ａを遮蔽しない非遮蔽状態に移動可能になっている。
【００４７】
続いて、動画を撮影していた図７に示す状態から、静止画像を撮影する場合は、開口部２ａが、既に最適な絞り口径に調整されているため、操作者が静止画ボタンを操作することにより、撮像素子に蓄積されてい他電荷を一旦放出してリセットされて、露出動作を開始する。
そして所定時間経過後に制御部からの信号により駆動源１が駆動して、駆動リング８が時計回り方向に迅速に回転して、光調整部材９が開口部２ａを遮蔽するシャッタ動作により、露出動作が終了して静止画像が撮影される。
【００４８】
また、デジタルスチルカメラで静止画像を撮影する場合に、駆動源１を起動させる前の休止状態においては、図６に示すように、光調整部材９が閉鎖位置にあると共に、ＮＤフィルタ１０のロックが解除されて遮蔽状態となっている。
そして、撮影者がレリーズ動作を行うと、駆動リング８の回転で、光調整部材９が外側に回動して、図３に示すように、開放位置に移動すると共に、ＮＤフィルタ１０を支持する支持部材１１が操作ピン８ｄに押されて時計回り方向に回動し、ロック部材１３によってロックされる。
この状態で、開口部２ａを通過する光の強度（光量）を光検出センサがモニターしながら、駆動源１の駆動を制御することにより、例えば図４に示すように、開口部２ａの絞り量が最適となった位置で露出動作が行われ、光調整部材９が、図５に示すように、閉鎖位置に移動して露出動作が終了し、静止画像が撮影される。
【００４９】
また、デジタルスチルカメラで静止画像を撮影する時に、光検出センサがモニターする光の強度が強すぎる場合は、一旦光調整部材９を閉鎖位置まで移動させ、この動作でロック部材１３によるＮＤフィルタ１０のロックを解除して、所定の絞り量に調整された開口部２ａを、ＮＤフィルタ１０が遮蔽して静止画像を撮影することも可能である。
また、本発明の実施の形態では、駆動源１を駆動レバー１ｂを往復移動させる電磁式アークチュエータで説明したが、駆動源をモータで構成し、駆動輪８に駆動リング８の円周に倣って円弧状のラックを取り付けて、ピニオンギアをラックに噛み合わせてモータの左右の回転駆動で、駆動リング８を回転させるようにしたものでも良い。
【００５０】
前述したような本発明の絞り兼用シャッタ装置は、１個の駆動源１で駆動リング８を回転させることにより、光調整部材９とＮＤフィルタ１０とを操作して、最適な画像を撮影することができる。そのために、部品点数が少なく、組立が容易で薄型化が可能な絞り兼用シャッタ装置とすることができる。
尚本発明の実施の形態においては、光調整部材９を３枚のもので説明したが、２枚あるいは４枚状の複数枚でも良い。
【００５１】
【発明の効果】
以上説明したように、本発明に係わるＮＤフィルタは、光調整部材が開口部を開放している時において、開口部を遮蔽しない非遮蔽状態で動きがロックされ、この非遮蔽状態において、光調整部材が開口部を閉鎖する動作に同期してロックが解除されて開口部を遮蔽する遮蔽状態となるようにしたので、１個の駆動源で光調整部材とＮＤフィルタとを動作させることができ、消費電力が少なくて電池寿命を長くすることができる絞り兼用シャッタ駆動装置を提供できる。
また、駆動源が１個なので、小型化が可能であると共に、部品点数が少なくて組立が容易である。
【００５２】
また、ロックが解除されたＮＤフィルタは、開口量の調整を行う光調整部材の動きに同期して開口部の遮蔽量が変化するようにしたので、被写体が明るくて絞り量が大きな時は、ＮＤフィルタによる開口部の遮蔽量が多くなり、被写体が所定の明るさの時は、ＮＤフィルタによる開口部の遮蔽量が少なくなる、１個の駆動源で最適な露出を行うことができる。
【００５３】
また、駆動リングの回転駆動に伴って、複数の光調整部材が、開口部を開放する開放位置、および開口部を閉鎖する閉鎖位置に移動するようにしたので、複数の光調整部材によって、開放位置から閉鎖位置まで開口部をリニアに絞り込むことができる。
【００５４】
また、ＮＤフィルタを支持した支持部材の一端部側が位置する部分のベース部材には、ＮＤフィルタが非遮蔽状態で支持部材の動きをロック可能なロック部材が配設されているので、ＮＤフィルタを必要としないときはロック部材がＮＤフィルタをロックし、必要とするときはロック部材のロックを解除してＮＤフィルタで開口部を遮蔽することができる。
そのために、明るさの異なる被写体を適正に撮影することができる。
【００５５】
また、支持部材は、ＮＤフィルタが遮蔽状態になる方向に第１弾性部材に弾性付勢され、非遮蔽状態にあるＮＤフィルタは、第２弾性部材で弾性付勢されたロック部材が支持部材の一端部に弾接してロックされるようにしたので、ＮＤフィルタを支持する支持部材のロックおよびロック解除が、簡単な構造を行うことができる。
【００５６】
また、第２弾性部材の付勢力は、第１弾性部材の付勢力よりも大きいので、ＮＤフィルタを支持した支持部材を確実にロックすることができる。
【００５７】
また、ロック部材による支持部材の前記ロックが解除されると、第１弾性部材の付勢力で、ＮＤフィルタが非遮蔽状態から遮蔽状態に移動するようにしたので、ロックが解除されたＮＤフィルタで、開口部を確実に遮蔽することができる。
【００５８】
また、光調整部材を閉鎖位置に回動させる方向に駆動リングを回転させることにより、ロック状態にある支持部材を押圧してロックを解除可能なロック解除部が駆動リングに形成されているので、ロック状態の支持部材を確実にロック解除することができる。
【００５９】
また、光調整部材が開放位置方向に回動する駆動リングの回転に同期して支持部材が回動することにより、ＮＤフィルタが遮蔽状態から非遮蔽状態に移動するようにしたので、１個の駆動源で光調整部材とＮＤフィルタとを操作することができる。
【００６０】
また、駆動リングには、遮蔽状態にあるＮＤフィルタを第１弾性部材の付勢力に抗して非遮蔽状態の方向に移動操作可能な操作ピンが形成されているので、ロックが解除されたＮＤフィルタを操作ピンで良いにロック状態とすることができ、操作性がよい。
【００６１】
また、駆動源は、電磁式アークチュエータからなり、駆動リングは、駆動源に直結された駆動レバーの一方向および他方向への往復移動に連動して、所定の回転角度回転するようにしたので、１個の駆動源で駆動リングを回転させることで、光調整部材とＮＤフィルタとを操作することができ、部品点数が少なくてコストダウンが可能な絞り兼用シャッタ駆動装置を提供できる。
【図面の簡単な説明】
【図１】本発明に関する絞り兼用シャッタ駆動装置の分解斜視図である。
【図２】本発明に係わるベース部材の平面図である。
【図３】本発明に関する絞り兼用シャッタ駆動装置の動作を説明する要部拡大図ある。
【図４】本発明に関する絞り兼用シャッタ駆動装置の動作を説明する要部拡大図ある。
【図５】本発明に関する絞り兼用シャッタ駆動装置の動作を説明する要部拡大図ある。
【図６】本発明に関する絞り兼用シャッタ駆動装置の動作を説明する要部拡大図ある。
【図７】本発明に関する絞り兼用シャッタ駆動装置の動作を説明する要部拡大図ある。
【図８】本発明に関する絞り兼用シャッタ駆動装置の動作を説明する要部拡大図ある。
【図９】従来の絞り兼用シャッタ駆動装置を説明する概略図である。
【図１０】従来の絞り兼用シャッタ駆動装置を説明する概略図である。
【図１１】従来の絞り兼用シャッタ駆動装置の動作を説明する概略図である。
【図１２】従来の絞り兼用シャッタ駆動装置の動作を説明する概略図である。
【図１３】従来の絞り兼用シャッタ駆動装置の動作を説明する概略図である。
【図１４】従来の絞り兼用シャッタ駆動装置の動作を説明する概略図である。
【符号の説明】
１  駆動源
２  ベース部材
２ａ  開口部
７  磁気センサ
８  駆動リング
９  光調整部材
１０  ＮＤフィルタ
１１  支持部材
１２  第１弾性部材
１３  ロック部材
１４  第２弾性部材
１５  カバー部材
【図１】
2004348051.tif 000003
【図２】
2004348051.tif 000004
【図３】
2004348051.tif 000005
【図４】
2004348051.tif 000006
【図５】
2004348051.tif 000007
【図６】
2004348051.tif 000008
【図７】
2004348051.tif 000009
【図８】
2004348051.tif 000010
【図９】
2004348051.tif 000011
【図１０】
2004348051.tif 000012
【図１１】
2004348051.tif 000013
【図１２】
2004348051.tif 000014
【図１３】
2004348051.tif 000015
【図１４】
2004348051.tif 000016